(57)【要約】    【課題】釣用リールに迅速に装着され、且つリール本体を確実に衝撃から保護することができるリールプロテクタの提供。    【解決手段】このリールプロテクタ１０は、中央帯１５、第１側面布１６及び第２側面布１７を備える。第１側面布１６は、スリット２１、２２を備えている。釣用リールのハンドル及び釣糸は、これらスリット２１、２２から外部に露出する。第２側面布１７は、フラップ１８を備える。このフラップ１８は、釣竿に巻き掛けられて第１側面布１６の外側に重ね合わされる。各スリット２１、２２の両側に面ファスナー２５が備えられている。第２側面布１７と第１側面布１６との重合を保持する面ファスナーが備えられている。【選択図】図４
2006115759.tif 000002
【特許請求の範囲】
【請求項１】
リール本体及びリール本体の一方側面に設けられたハンドルを有する釣用リールが釣竿に装着された状態で当該釣用リールを被覆保護するためのリールプロテクタであって、
リール本体の前部、下部及び後部を囲繞する中央帯と、
中央帯の一方側縁部に連結され、リール本体の一方側面を覆う第１側面布と、
中央帯の他方側縁部に連結され、リール本体の他方側面を覆う第２側面布とを備え、
第１側面布の前端部及び後端部にそれぞれリール本体から引き出された釣糸が挿通されるスリット及びハンドルが挿通されるスリットが設けられ、
第２側面布は、釣竿に巻き掛けられて第１側面布の外側に重ね合わされるフラップが延設されているリールプロテクタ。
【請求項２】
上記各スリットの両側に面ファスナーが備えられている請求項１に記載のリールプロテクタ。
【請求項３】
上記第２側面布と上記第１側面布との重合を保持する面ファスナーが備えられている請求項１又は２に記載のリールプロテクタ。
【請求項４】
リール本体及びリール本体の一方側面に設けられたハンドルを有する釣用リールが釣竿に装着された状態で当該釣用リールを被覆保護するためのリールプロテクタであって、
伸縮性を有する生地からなり、リール本体の前部、下部及及び後部並びにリール本体の他方側面を囲繞する主体布と、
伸縮性を有する生地からなり、主体布に連結され、リール本体の一方側面を覆う側面布とを備え、
側面布の前端部及び後端部にそれぞれリール本体から引き出された釣糸が挿通されるスリット及びハンドルが挿通されるスリットが設けられ、
主体布の上記リール本体の他方側面を覆う部分は、釣竿に巻き掛けられて側面布の外側に重ね合わされるフラップが延設されているリールプロテクタ。
【請求項５】
上記各スリットの両側に面ファスナーが備えられている請求項４に記載のリールプロテクタ。
【請求項６】
上記主体布と上記側面布との重合を保持する面ファスナーが備えられている請求項４又は５に記載のリールプロテクタ。
【請求項７】
細長矩形の生地が上部が開放されたＵ字状に湾曲形成された中央帯と、
中央帯の一方側縁部に縫い付けられた第１側面布と、
中央帯の他方側縁部に縫い付けられた第２側面布とを備え、
第１側面布は、上下方向に延びるスリットが所定間隔をあけて一対設けられており、
第２側面布は、第１側面布に重合するフラップが延設されているリールプロテクタ。
【発明の詳細な説明】
【技術分野】
【０００１】
本発明は、釣用リールを収容保護するリールプロテクタの構造に関するものである。
【背景技術】
【０００２】
釣人は、釣り場に到着した後に直ちに釣りを開始するために、予めタックルをセットしておくことがある。具体的には、釣人は、釣行前に予め釣竿に釣用リールを装着し、ラインに仕掛けを組み付ける。釣用リールが釣竿に装着された状態で搬送されると、釣竿から露出した釣用リールが他の道具と衝突したり、特に船による釣り場の移動時（ある磯から他の磯への移動時）等において、釣用リールが他の釣道具や船体に衝突することがあり、その結果、釣用リールが損傷を受けるおそれがある。
【０００３】
そのような問題を避けるために、従来から釣竿に装着した状態でも釣用リールを保護することができるリールプロテクタが提供されている（例えば、特許文献１及び特許文献２参照）。従来のリールプロテクタは、釣用リールを収容する袋からなり、この袋は、一般に柔軟性及び伸縮性を備えた生地により縫製されている。
【０００４】
図９は、従来のリールプロテクタが釣用リールに装着された状態を示す図である。同図において、釣用リール１は、釣竿２に装着されている。リールプロテクタ３は、上部に開口４を有する袋状に形成されており、釣用リール１を下方から包み込むように当該釣用リール１に被せられる。リールプロテクタ３は舌片５を備えており、この舌片５は、リールプロテクタ３と一体的に形成されている。そして、この舌片５が、例えば面ファスナー６を介してリールプロテクタ３に固定されるようになっており、これにより、当該リールプロテクタ３は、釣用リール１に固定され、釣用リールを保護する。
【０００５】
【特許文献１】実用新案登録第２５３０２５９号公報
【特許文献２】実用新案登録第２５７６８２６号公報
【発明の開示】
【発明が解決しようとする課題】
【０００６】
ところで、釣用リール１は、ギア機構が内蔵されたリール本体７と、リール本体７に設けられ、ギア機構を駆動するハンドル８とを有するが、同図が示すようにハンドル８は、リール本体７の側方に取り付けられているから横方向に大きく張り出す。そのため、リールプロテクタ３は、リール本体７とハンドル８との間の空間をも覆うことができる大きなサイズに形成される必要があり、リールプロテクタ３の製造コストが高くなるという問題があった。なお、この問題が回避されるためには、リールプロテクタが小型化され、さらに、リールプロテクタが釣用リール１に装着される際に、ハンドル８が取り外されればよい。しかし、釣人にとってこの作業は非常に煩わしく、リールプロテクタを迅速に装着することが困難であるという新たな問題が生じる。
【０００７】
また、衝撃からの保護が強く要請されるのは、ギア機構が内蔵されたリール本体７である。しかし、上記リールプロテクタ３が釣用リール１に装着された状態では、リールプロテクタ３がいびつに変形し、リール本体７とリールプロテクタ３の内面との間に大きな隙間９が生じてしまう。このため、リール本体７が衝撃から保護されにくいという問題もあった。
【０００８】
そこで、本発明の目的は、釣用リールに迅速に装着され、且つリール本体を確実に衝撃から保護することができるリールプロテクタを提供することである。
【課題を解決するための手段】
【０００９】
(1) 上記目的が達成されるため、本発明に係るリールプロテクタは、リール本体及びリール本体の一方側面に設けられたハンドルを有する釣用リールが釣竿に装着された状態で当該釣用リールを被覆保護するためのリールプロテクタであって、リール本体の前部、下部及び後部を囲繞する中央帯と、中央帯の一方側縁部に連結され、リール本体の一方側面を覆う第１側面布と、中央帯の他方側縁部に連結され、リール本体の他方側面を覆う第２側面布とを備える。第１側面布の前端部にリール本体から引き出された釣糸が挿通されるスリットが設けられ、第１側面布の後端部にハンドルが挿通されるスリットが設けられている。また、第２側面布は、釣竿に巻き掛けられて第１側面布の外側に重ね合わされるフラップが延設されている。
【００１０】
この発明によれば、リールプロテクタは、釣用リールが釣竿に装着された状態で、下方からリール本体に被せられる。このとき、リールプロテクタの中央帯がリール本体の前部、下部及び後部を囲繞すると共に、第１側面布がリール本体の一方側面を覆い、第２側面布がリール本体の他方側面を覆う。また、リール本体に設けられたハンドルは、第１側面布の後端部に設けられたスリットからリールプロテクタの外部に突出すると共に、リール本体から引き出された釣糸は、第１側面布の前端部に設けられたスリットからリールプロテクタの外部に引き出される。さらに、第２側面布のフラップは、釣竿に巻き掛けられて第１側面布に重ね合わされる。したがって、リール本体は、リールプロテクタの内壁面との間に大きな隙間が生じることなく確実にリールプロテクタに収容される。
【００１１】
上記各スリットの両側に面ファスナーが備えられているのが好ましい。これにより、第１側面布の各スリットの両側の部分は、各スリットが閉じるように重ね合わされる。したがって、リールプロテクタの外部からの水の侵入が効果的に防止される。さらに、上記第２側面布と上記第１側面布との重合を保持する面ファスナーが備えられているのが好ましい。これにより、リールプロテクタが容易にリール本体から離脱することはない。
【００１２】
(2) 上記目的が達成されるため、本発明に係るリールプロテクタは、リール本体及びリール本体の一方側面に設けられたハンドルを有する釣用リールが釣竿に装着された状態で当該釣用リールを被覆保護するためのリールプロテクタであって、伸縮性を有する生地からなり、リール本体の前部、下部及及び後部並びにリール本体の他方側面を囲繞する主体布と、伸縮性を有する生地からなり、主体布に連結され、リール本体の一方側面を覆う側面布とを備える。側面布の前端部にリール本体から引き出された釣糸が挿通されるスリットが設けられ、リール本体の後端部にハンドルが挿通されるスリットが設けられている。また、主体布の上記リール本体の他方側面を覆う部分は、釣竿に巻き掛けられて側面布の外側に重ね合わされるフラップが延設されている。
【００１３】
この発明によれば、リールプロテクタは、釣用リールが釣竿に装着された状態で、下方からリール本体に被せられる。このとき、リールプロテクタの主体布は、リール本体の前部、下部及び後部並びにリール本体の他方側面を囲繞すると共に、側面布がリール本体の一方側面を覆う。この主体布は伸縮性を備えているから、リール本体の前部、下部及び後部並びにリール本体の他方側面は確実に囲繞されると共に、側面布が伸縮性を備えているから、リール本体の一方側面も確実に覆われる。また、リール本体に設けられたハンドルは、側面布の後端部に設けられたスリットからリールプロテクタの外部に突出すると共に、リール本体から引き出された釣糸は、側面布の前端部に設けられたスリットからリールプロテクタの外部に引き出される。さらに、主体布のフラップは、釣竿に巻き掛けられて側面布に重ね合わされる。したがって、リール本体は、リールプロテクタの内壁面との間に大きな隙間が生じることなく確実にリールプロテクタに収容される。
【００１４】
上記各スリットの両側に面ファスナーが備えられているのが好ましい。これにより、側面布の各スリットの両側の部分は、各スリットが閉じるように重ね合わされる。したがって、リールプロテクタの外部からの水の侵入が効果的に防止される。さらに、上記主体布と上記側面布との重合を保持する面ファスナーが備えられているのが好ましい。これにより、リールプロテクタが容易にリール本体から離脱することはない。
【００１５】
(3) さらに、上記目的が達成されるため、本発明に係るリールプロテクタは、細長矩形の生地が上部が開放されたＵ字状に湾曲形成された中央帯と、中央帯の一方側縁部に縫い付けられた第１側面布と、中央帯の他方側縁部に縫い付けられた第２側面布とを備える。第１側面布は、上下方向に延びるスリットが所定間隔をあけて一対設けられており、第２側面布は、第１側面布に重合するフラップが延設されている。
【００１６】
この発明によれば、リールプロテクタは、釣用リールが釣竿に装着された状態であっても、下方からリール本体に被せられる。このとき、リールプロテクタの中央帯がリール本体の前部、下部及び後部を囲繞すると共に、第１側面布がリール本体の一方側面を覆い、第２側面布がリール本体の他方側面を覆う。リール本体にハンドルが設けられたままであっても、当該ハンドルは、第１側面布の一方に設けられたスリットからリールプロテクタの外部に突出する。リール本体から引き出された釣糸に仕掛けが組み付けられたままであっても、当該リール本体から引き出された釣糸は、第１側面布の他方のスリットからリールプロテクタの外部に引き出される。さらに、第２側面布のフラップは、釣竿に巻き掛けられて第１側面布に重ね合わされる。したがって、釣用リールが釣竿に装着されたままであっても、リール本体は、リールプロテクタの内壁面との間に大きな隙間が生じることなく確実にリールプロテクタに収容される。
【発明の効果】
【００１７】
本発明によれば、釣用リールが釣竿に取り付けられ、釣糸に仕掛けが組み付けられている場合であっても、リールプロテクタは、リール本体の周面にフィットした状態で当該リール本体を囲繞保持することができるので、釣用リール、特にリール本体が確実に衝撃から保護されると共に、リール本体の確実な防水が達成される。また、リールプロテクタが釣用リールにフィットするからリールプロテクタが歪に変形することがなく、釣人は、リールプロテクタをリール本体に迅速に装着することができる。加えて、釣用リールのハンドルは、リールプロテクタの外部に突出するから、リールプロテクタが不必要に大きなサイズに形成される必要がなく、リールプロテクタがコスト安価に構成されるという利点がある。
【発明を実施するための最良の形態】
【００１８】
以下、適宜図面が参照されつつ、好ましい実施形態に基づいて本発明が詳細に説明される。
【００１９】
＜第１の実施形態＞
図１は、本発明の第１の実施形態に係るリールプロテクタが釣用リールに装着されている状態を示す斜視図である。
【００２０】
このリールプロテクタ１０は、釣竿１１に装着固定された釣用リール１２を覆うことができるように袋状に形成されている。このリールプロテクタ１０が釣用リール１２に装着されることにより、釣用リール１２が釣竿１１に取り付けられたままで搬送される場合であっても、釣用リール１２が外傷から保護され且つ釣用リール１２の防水が達成されるようになっている。本実施形態に係るリールプロテクタ１０の特徴とするところは、リールプロテクタ１０は、釣用リール１２に装着された状態で、釣用リール１２のハンドル１３及び釣用リール１２から引き出された釣糸１４が外部に露出するように構成されている点であり、これにより、リールプロテクタ１０の迅速な着脱作業と、釣用リール１２（特にリール本体）の外傷からの確実な保護が実現されるようになっている。
【００２１】
図２は、正面から見たリールプロテクタ１０の斜視図であり、図３は、背面から見たリールプロテクタ１０の斜視図である。
【００２２】
これらの図が示すように、リールプロテクタ１０は、中央帯１５と、第１側面布１６と、第２側面布１７とを備え、これらが縫製されることによって袋状のリールプロテクタ１０が構成されている。また、第２側面布１７はフラップ１８を備えており、このフラップ１８は、後述のように第１側面布１６に重ね合わされるようになっている。
【００２３】
図４は、リールプロテクタ１０の正面図であり、上記フラップ１８が上方に延ばされている状態が図示されている。また、図５は、リールプロテクタ１０の展開斜視図であり、上記第１側面布１６が開かれた状態が図示されている。
【００２４】
図４及び図５が示すように、中央帯１５は、細長矩形の生地からなり、上部が開放されたＵ字状に湾曲形成されている。中央帯１５を構成する生地は、例えば、ネオプレンゴムが採用され得る。また、第１側面布１６は、矩形状を呈し、中央帯１５の一方側縁部１９に縫い付けられている。さらに、第２側面布１７も矩形状を呈し、中央帯１６の他方側縁部２０に縫い付けられている。第１側面布１６及び第２側面布１７を構成する生地は、上記中央帯１５を構成する生地と同様のものが採用され得る。
【００２５】
第１側面布１６は、一対のスリット２１、２２を備えている。スリット２１、２２は、図４が示すように共に第１側面布１６の上縁２３から下方に延びている。スリット２１は、第１側面布１６の前端部に設けられ（図１参照）、スリット２２は、スリット２１と所定間隔ｄ（図２参照）をあけて第１側面布１６の後端部に設けられている。スリット２１とスリット２２との間隔ｄは、２０ｍｍ〜２００ｍｍの範囲で設定され得る。なお、本実施形態では、スリット２１、２２の縁部には縁取テープ２４が縫い付けられており、スリット２１、２２の縁部が補強されている。もっとも、この縁取テープ２４は省略され得る。
【００２６】
図４が示すように、このスリット２１、２２の両側には面ファスナー２５が設けられている。具体的には、第１側面布１６の中央部の表面側にループテープ２６が取り付けられ、第１側面布１６の前縁部２７及び後縁部２８の裏面側にフックテープ３３（図５参照）が取り付けられている。したがって、第１側面布１６の前縁部２７及び後縁部２８は、第１側面布１６の中央部の表面に重ね合わせられ、互いに接着される。なお、同図が示すように、第１側面布１６の前縁部２７及び後縁部２８の表面側には、ループテープ２９が取り付けられている。後述されるが、このループテープ２９は、上記フラップ１８を保持するものである。
【００２７】
図３が示すように、第２側面布１７は、第１側面布１６と対向するように配置されている。上記フラップ１８は、第２側面布１７の上縁部に連続して形成されている。このフラップ１８は、本実施形態では第２側面布１７と一体的に（すなわち、第２側面布１７の一部として）構成されているが、第２側面布１７とは別部材として構成され、これが第２側面布１７に縫い付けられていてもよい。このフラップ１８は、所定の長さＬ（５０ｍｍ〜３００ｍｍ）に設定されている。このフラップ１８は、第１側面布１６の上縁を覆って当該第１側面布１６の前面に重ね合わされるようになっている。
【００２８】
このフラップ１８の周縁部にも縁取テープ２４が縫い付けられており、当該周縁部が補強されている。もっとも、この縁取テープ２４は省略され得る。また、図４が示すように、フラップ１８の裏面にフックテープ３０が設けられている。このフックテープ３０は、上記第１側面布１６に設けられたループテープ２６、２９と協働して面ファスナーを構成している。したがって、フラップ１８が第１側面布１６に重ね合わされたときは、フラップ１８のフックテープ３０が第１側面布１６のループテープ２６、２９に接着され、これにより、フラップ１８は、第１側面布１６に重ね合わされた状態が所定の保持力で保持される。
【００２９】
なお、図２が示すように、フラップ１８の表面側縁部に滑止部材３２が貼り付けられている。この滑止部材３２は、例えばゴム又は樹脂からなり、釣人がフラップ１８の表面側縁部を把持した場合に手が滑ることを防止する。この滑止部材３２は、省略されてもよいことは勿論である。
【００３０】
図６及び図７は、共にリールプロテクタ１０が釣用リール１２に被せられた状態を示す斜視図である。
【００３１】
以上のように構成されたリールプロテクタ１０は、上方に開口３１を有する袋状に形成される（図４及び図５参照）。図６が示すように、このリールプロテクタ１０は、釣用リール１２が釣竿１１に装着されたままで下方から当該釣用リール１２に被せられる。釣用リール１２は、一般にリール本体３４及びリール本体３４の一方側面に取り付けられた上記ハンドル１３を備えている。リール本体３４は、マスターギア等の重要な機能部品が内蔵され、ハンドル１３は、このマスターギアに連結され、マスターギアを回転駆動することができるようになっている。
【００３２】
リールプロテクタ１０は、上記リール本体３４に被せられる。このとき、リールプロテクタ１０の中央帯１５が前述のように細長矩形に形成されているから、この中央帯１５は、リール本体３４の前部、下部及び後部を囲繞する。この状態で第１側面布１６が閉じられることによって、図７が示すように、リールプロテクタ１０がリール本体３４を包み込む。すなわち、第１側面布１６がリール本体３４の一方側面を覆い、第２側面布１７がリール本体３４の他方側面を覆う。
【００３３】
このとき、第１側面布１６は、上記ハンドル１３とリール本体３４との間に挿入され、リール本体３４に設けられたハンドル１３は、第１側面布１６のスリット２２からリールプロテクタ１０の外部に突出し、また、リール本体３４から引き出された釣糸１４は、第１側面布１６のスリット２１からリールプロテクタ１０の外部に引き出される。さらに、第２側面布１７のフラップ１８が釣竿１１に巻き掛けられて第１側面布１６に重ね合わされる（図１参照）。これにより、リールプロテクタ１０の内壁面は、リール本体３４の周面と当接し、両者間に大きな隙間が生じることはなく、リール本体３４は、確実にリールプロテクタ１０によって収容される。
【００３４】
このように、釣用リール１２が釣竿１１に取り付けられ、釣糸１４に仕掛けが組み付けられている場合であっても、リールプロテクタ１０は、リール本体３４の周面にフィットした状態で当該リール本体３４を囲繞保持することができる。したがって、リール本体３４が確実に衝撃から保護されると共に、リール本体３４の確実な防水が達成される。また、リールプロテクタ１０が釣用リール１２にフィットするから、リールプロテクタ１２が歪に変形することがない。したがって、釣人は、リールプロテクタ１０をリール本体３４に迅速に装着することができる。加えて、釣用リール１２のハンドル１３は、リールプロテクタ１０の外部に突出するから、リールプロテクタ１０が不必要に大きなサイズに形成される必要がなく、リールプロテクタ１０がコスト安価に構成されるという利点もある。
【００３５】
本実施形態では、上記各スリット２１、２２の両側に面ファスナー２５が備えられている。したがって、図７が示す状態から、ループテープ２６とフックテープ３３とが接着されることにより、各スリット２１、２２の両側の部分は、当該各スリット２１、２２が閉じるように重ね合わされる。これにより、リールプロテクタ１０の外部からの水の侵入が一層確実に防止される。さらに、第２側面布１７のフラップ１８に設けられたフックテープ３０が、第１側面布１６に設けられたループテープ２６、２９に接着されることにより、フラップ１８が第１側面布１６に重ね合わせられ、しかもこの重合状態が保持される（図１参照）。これにより、リールプロテクタ１０は、容易にリール本体３４から離脱することはなく、釣用リール１２の損傷を確実に防止するための保護部材として機能する。
【００３６】
＜第２の実施形態＞
次に、本発明の第２の実施形態について説明される。図８は、本発明の第２の実施形態に係るリールプロテクタの斜視図である。
【００３７】
本実施形態に係るリールプロテクタ４０が上記第１の実施形態に係るリールプロテクタ１０と異なるところは、上記リールプロテクタ１０が中央帯１５、第１側面布１６及び第２側面布１７を備えた３ピース構造を有するものであるのに対し、本実施形態に係るリールプロテクタ４０は、主体布４１と側面布４２とを備えた２ピース構造を有する点、及びこれらは、伸縮性を有する生地（典型的には、ネオプレンゴム等）から構成されている点である。なお、その他の構成については、上記リールプロテクタ１０と同様である。
【００３８】
主体布４１は、図８が示すように、帯部４３と背面部４４とを備える。帯部４３は、細長矩形状を呈し、略Ｕ字状に湾曲されている。背面部４４は、この帯部４３の他方側縁部に一体的に設けられており、帯部４３と背面部４４とは単一の生地からなる。また、側面布４２は、矩形状を呈し、帯部４３の一方側縁部１９に縫い付けられている。帯部４３は、上記リール本体３４の前部、下部及及び後部を囲繞し、背面部４４は、リール本体３４の他方側面を覆う。さらに、側面布４２は、リール本体３４の一方側面を覆う。すなわち、上記主体布４１は、上記第１の実施形態に係るリールプロテクタ１０の中央帯１５と第２側面布１７とが一体的に形成されたものであり、上記側面布４２は、上記第１の実施形態に係るリールプロテクタ１０の第１側面布１６と同様の形状を有し、同様の機能を奏する。
【００３９】
この主体布４１は、上記第１の実施形態に係るフラップ１８と同様のフラップ４５を備えており、このフラップ４５は、背面部４４に連続して形成されている。また、側面布４２は、同図では図示されていないが、上記リールプロテクタ１０に設けられたスリット２３１、２２と同様の一対のスリットを備えている。そして、これらスリットの両側に面ファスナー２５が設けられている。さらに、同図では図示されていないが、側面布４２の表面には、上記第１の実施形態に係る第１側面布１６に設けられたループテープ２６と同様のループテープが設けられており、このループテープに上記フラップ４５に設けられたフックテープ３０が接着することにより、フラップ４５が側面布４２に重ね合わされるようになっている。
【００４０】
本実施形態に係るリールプロテクタ４０も上記リールプロテクタ１０と同様の要領で釣用リール１２に被せられ、上記フラップ４５が上記側面布４２に重ね合わされることによって、リールプロテクタ４０が確実に釣用リール１２に装着される。これにより、リール本体３４の確実な緩衝及び防水が実現される。  
【産業上の利用可能性】
【００４１】
本発明は、釣用リールに装着されるカバーその他のリールプロテクタに適用され得る。
【図面の簡単な説明】
【００４２】
【図１】図１は、本発明の第１の実施形態に係るリールプロテクタが釣用リールに装着されている状態を示す斜視図である。
【図２】図２は、本発明の第１の実施形態に係るリールプロテクタの斜視図であり、正面視された状態が図示されている。
【図３】図３は、本発明の第１の実施形態に係るリールプロテクタの斜視図であり、背面視された状態が図示されている。
【図４】図４は、本発明の第１の実施形態に係るリールプロテクタの正面図である。
【図５】図５は、本発明の第１の実施形態に係るリールプロテクタの展開斜視図である。
【図６】図６は、本発明の第１の実施形態に係るリールプロテクタが釣用リールに被せられた状態を示す斜視図である。
【図７】図７は、本発明の第１の実施形態に係るリールプロテクタが釣用リールに被せられた状態を示す斜視図である。
【図８】図８は、本発明の第２の実施形態に係るリールプロテクタの斜視図である。
【図９】図９は、従来のリールプロテクタが釣用リールに装着された状態を示す図である。
【符号の説明】
【００４３】
１０・・・リールプロテクタ
１１・・・釣竿
１２・・・釣用リール
１３・・・ハンドル
１４・・・釣糸
１５・・・中央帯
１６・・・第１側面布
１７・・・第２側面布
１８・・・フラップ
１９・・・中央帯の一方側縁部
２０・・・中央帯の他方側縁部
２１・・・スリット
２２・・・スリット
２３・・・第１側面布の上縁
２５・・・面ファスナー
２６・・・ループテープ
２７・・・第１側面布の前縁部
２８・・・第１側面布の後縁部
２９・・・ループテープ
３０・・・フックテープ
３１・・・開口
３３・・・フックテープ
３４・・・リール本体
４０・・・リールプロテクタ
４１・・・主体布
４２・・・側面布
【図１】
2006115759.tif 000003
【図２】
2006115759.tif 000004
【図３】
2006115759.tif 000005
【図４】
2006115759.tif 000006
【図５】
2006115759.tif 000007
【図６】
2006115759.tif 000008
【図７】
2006115759.tif 000009
【図８】
2006115759.tif 000010
【図９】
2006115759.tif 000011